(57)【要約】      （修正有）【課題】フットカバーの着用イメージおよび訴求ポイントを購買検討者が容易に認識する販売促進用ツールを提供する。【解決手段】販促ツール１００は、模擬足型シート１１０と訴求シート１５０とを含み、模擬足型シート１１０は足裏形状を模した足裏板１２０と、足裏板１２０の輪郭線１２２の左右両側から輪郭線１２２から離隔する方向へ延設された左側方板１３０および右側方板１４０とを含む。左側方板１３０および右側方板１４０は、輪郭線１２２から立ち上げるように、かつ、踵側において互いに接合されるように折り曲げられて、足横模擬形状および踵模擬形状を形成することにより足を模した立体的な形状になり、立体的な形状の模擬足型シート１１０にフットカバーが被せられた状態において、足裏板１２０に購買検討者への訴求情報が視覚により認識可能に形成されている。【選択図】図１
0003224369.tif 000002
【実用新案登録請求の範囲】
【請求項１】
１枚以上の伸縮性編地が接合されて形成され、爪先と踵を含む足底とを被覆するとともに足甲および足首を露出するフットカバーに好適な販売促進用ツールであって、
前記販売促進用ツールは、薄板状の模擬足型シートが所定の位置で折り曲げられて爪先から踵までの足を模した立体的な形状になり、前記立体的な形状に前記フットカバーが被せられ、
前記模擬足型シートは薄板状の状態で、
足裏形状を模した足裏板と、
前記足裏板の輪郭線の左右両側から前記輪郭線から離隔する方向へ延設された左側方板および右側方板と、を含み、
前記左側方板および右側方板は、前記輪郭線から立ち上げるように、かつ、踵側において互いに接合されるように折り曲げられて、足横模擬形状および踵模擬形状を形成することにより前記足を模した立体的な形状になり、
前記立体的な形状に前記フットカバーが被せられた状態において、前記足裏板に購買検討者への訴求情報が視覚により認識可能に形成されていることを特徴とする販売促進用ツール。
【請求項２】
前記薄板状のシートは、少なくとも前記足裏板の部分が有色透明または無色透明であって、
前記販売促進用ツールは、購買検討者への訴求情報が視覚により認識可能なようにシートに形成した訴求シートをさらに含み、
前記訴求シートは、前記足裏板と前記被せられるフットカバーとの間に設けられることを特徴とする、請求項１に記載の販売促進用ツール。
【考案の詳細な説明】
【技術分野】
【０００１】
本考案は、着用するとパンプス（履き口である甲部分が大きく開いている主として婦人用の靴）等の靴の内側に隠れて見えなくなる（見えにくくなる場合を含む）フットカバーに好適な販売促進用ツール（以下において単に販促ツールと記載する場合がある）に関し、特に、１枚以上の伸縮性編地が接合されて形成されたフットカバーについて需要者（購入検討者と記載する場合がある）が着用イメージを容易に認識することができるとともに訴求ポイント（製造者または販売者等が需要者に訴求（アピール）したいセールスポイント等）を容易に認識することができる販促ツールに関する。
【０００２】
なお、本考案はフットカバーに好適な販促ツールであって、フットカバーを販売するにあたり好適な販促ツールを意味する。すなわち、需要者がこの販促ツールに被せられたフットカバーを視覚および触覚によりその着用イメージを認識して視覚により訴求ポイントを認識した後にこの販促ツールに被せられたフットカバーと同じフットカバーであるが別途包装されたフットカバーを購入することが多いものとなる。
【背景技術】
【０００３】
素足にパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にパンプスから露出することのないよう履き口が大きくカットされた薄手のフットカバーが提案されている。このフットカバーを着用してパンプスを履けば、外観上、素足にパンプスを履いているように見え、足裏とパンプスとの間にはフットカバーが介しているため、汗によって靴の中が蒸れてしまうことを防止することができる。
【０００４】
なお、このような足装着具を、本明細書ではフットカバーと記載するが、ソックスカバー、インナーソックス、ヌードソックス、カバーソックス等と記載される場合もある。
このようなフットカバーはパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発された様々なフットカバーが販売されている。このような状況の下で、足型の平面形状を模した台紙（略足裏形状の台紙）にフットカバーを被せた販売用パッケージでは、フットカバーが爪先や踵や足甲をどの程度覆うのかが需要者には全くわからない。すなわち、素足で靴を履いているように見せるために靴の内側に隠れるようにデザインされたフットカバーは、靴の開口部（履き口、トップライン）のサイズに合わせて、適切な履き口の形状を有するフットカバーを選ぶことが好ましいにも関わらず、足型の平面形状を模した台紙を用いた販売用パッケージでは適切に選ぶことができない。
【０００５】
また、フットカバーの足底部とアッパー部（足底部以外の側辺部、踵部および爪先部）とで異なる伸縮性編地を採用した場合、足型の平面形状を模した台紙を用いた販売用パッケージではアッパー部の伸縮性編地しか見えないために（足底部は台紙で隠れているために）、足底部に特徴がある場合に適切に選ぶことができない。このような足底部に特徴があるフットカバーとして、たとえば、足裏の汗を吸湿して肌触りの良いフットカバー、足裏が滑ることを防止するフットカバー、または、足裏にクッション材を設けて足が疲れることを防止するフットカバー等々が挙げられる。
【０００６】
このような問題を解決するためには、足型の側面視を台紙とした販売用パッケージが好ましく、たとえば実用新案登録公報第３２０３９７７号公報（特許文献１）は、このようなフットカバーに適用できる包装資材を開示する。この特許文献１に開示された包装資材は、物品を吊下げて陳列するための陳列ピンに吊下げ可能な、靴下の包装資材であって、足の側面形状を有する型板と、前記靴下を装着した前記型板が、係止具により係止される背板と、を含み、前記陳列ピンに吊下げられた状態において前記靴下の踵部と爪先部とが略水平方向に並ぶことを特徴とする（請求項１、図１）。そして、靴下の例としてフット
カバーが開示されている（第０００２段落）。また、足の側面形状を有する型板は、より具体的には、以下のように図３を参照して第００４７段落で説明されている。足形台紙３０は、足の側面形状であり、装着された靴下１０の張力に抗って真直ぐであるのに十分な曲げ強度を備える。このため、装着された靴下１０を保形することができる。足形台紙３０の材料は、十分な曲げ強度を備えればよく、たとえば、厚紙、プラスチック、または樹脂を含浸した紙などでもよい。このように、この特許文献１に開示された型板は足の側面形状を有しており、靴の開口部（履き口、トップライン）のサイズに合わせて、適切な履き口の形状を有するフットカバーを選ぶことができる点で好ましい。
【先行技術文献】
【特許文献】
【０００７】
【特許文献１】実用新案登録第３２０３９７７号公報
【考案の概要】
【考案が解決しようとする課題】
【０００８】
しかしながら、特許文献１に開示された包装資材の足の側面形状を有する型板は単一な厚みの厚紙、プラスチック、または樹脂を含浸した紙であるために、１枚以上の伸縮性編地が接合されて形成され、爪先と踵を含む足底とを被覆するとともに足甲および足首を露出するフットカバーをこの単一な厚みの厚紙に被せると、そのフィット性を高めるために（さらに容易にずれたり脱げたりしないようにするために）幅広（足幅方向に広げていることを意味する）に形成された爪先部における伸縮性編地が弛んでしわになってしまい、着用イメージを容易に認識することができない。
【０００９】
さらに、特許文献１の第００５５段落には、「背板本体２１において、靴下１０の製品情報などを記載する記載スペースとして、足形台紙３０と重ならない背板本体２１の表側面の一部と、裏側面（他方の面）全体とを活用することができる。」と記載されている。しかしながら、足形台紙３０と重ならない背板本体２１の表側面の一部の面積はあまりにも小さいために、多くの訴求情報（需要者に製品の長所等のセールスポイント等を需要者の視覚により認識させて訴求するための情報）を記載することができず、裏側面（他方の面）全体であれば多くの訴求情報を記載することができても、需要者がひっくり返して裏面側（他方の面）を見ない限り製品の長所等が視覚により認識されることはなく訴求されることはない。
【００１０】
本考案は、従来技術の上述の問題点に鑑みて開発されたものであり、その目的とするところは、１枚以上の伸縮性編地が接合されて形成されたフットカバーについて需要者が着用イメージを容易に認識することができるとともに訴求ポイントを容易に認識することのできるフットカバーに好適な販売促進用ツールを提供することである。
【課題を解決するための手段】
【００１１】
上記目的を達成するため、本考案に係るフットカバーに好適な販売促進用ツールは以下の技術的手段を講じている。
すなわち、本考案に係るフットカバーに好適な販売促進用ツールは、１枚以上の伸縮性編地が接合されて形成され、爪先と踵を含む足底とを被覆するとともに足甲および足首を露出するフットカバーに好適な販売促進用ツールであって、前記販売促進用ツールは、薄板状の模擬足型シートが所定の位置で折り曲げられて爪先から踵までの足を模した立体的な形状になり、前記立体的な形状に前記フットカバーが被せられ、前記模擬足型シートは薄板状の状態で、足裏形状を模した足裏板と、前記足裏板の輪郭線の左右両側から前記輪郭線から離隔する方向へ延設された左側方板および右側方板と、を含み、前記左側方板および右側方板は、前記輪郭線から立ち上げるように、かつ、踵側において互いに接合されるように折り曲げられて、足横模擬形状および踵模擬形状を形成することにより前記足を模した立体的な形状になり、前記立体的な形状に前記フットカバーが被せられた状態において、前記足裏板に購買検討者への訴求情報が視覚により認識可能に形成されていることを特徴とする。
【００１２】
好ましくは、前記薄板状のシートは、少なくとも前記足裏板の部分が有色透明または無色透明であって、前記販売促進用ツールは、購買検討者への訴求情報が視覚により認識可
能なようにシートに形成した訴求シートをさらに含み、前記訴求シートは、前記足裏板と前記被せられるフットカバーとの間に設けられるように構成することができる。
【考案の効果】
【００１３】
本考案に係るフットカバーに好適な販売促進用ツールによると、１枚以上の伸縮性編地が接合されて形成されたフットカバーについて需要者が着用イメージを容易に認識することができるとともに訴求ポイントを容易に認識することができる。
【図面の簡単な説明】
【００１４】
【図１】本考案の実施の形態に係るフットカバーに好適な販売促進用ツール１００を構成する模擬足型シート１１０の全体を示す平面図（Ａ）および訴求シート１５０の全体を示す平面図（Ｂ）であって、模擬足型シート１１０は所定の位置で折り返す前の平面図である。
【図２】図１の販売促進用ツール１００をフットカバーＦＣに適用する場合の手順を説明するための図である。
【図３】図１の販売促進用ツール１００をフットカバーＦＣに適用した場合の商品陳列状態を説明するための斜視図である。
【図４】図３の正面図である。
【考案を実施するための形態】
【００１５】
以下、本考案の実施の形態に係るフットカバーＦＣに好適な販売促進用ツール１００（以下において単に販促ツール１００と記載する場合がある）について、以下の図１〜図４に基づいて詳しく説明する。ここで、図１（Ａ）は、この販促ツール１００を構成する模擬足型シート１１０を所定の位置で折り返す前の全体を示す平面図であって、図１（Ｂ）は訴求シート１５０の全体を示す平面図である。図２は、この販促ツール１００をフットカバーＦＣに適用する場合の手順を説明するための図であって、図３は、この販促ツール１００をフットカバーＦＣに適用した場合の商品陳列状態を説明するための斜視図であって、図４は、図３の正面図である。
【００１６】
本実施の形態に係る販促ツール１００は、１枚以上の伸縮性編地が接合されて形成され、爪先と踵を含む足底とを被覆するとともに足甲および足首を露出するフットカバーＦＣに好適な販売促進用ツールである。この販促ツール１００は、薄板状の模擬足型シート１１０が所定の位置で折り曲げられて爪先から踵までの足を模した立体的な形状になり、このように折り曲げられることにより形成された立体的な形状にフットカバーＦＣが被せられる。なお、薄板状の模擬足型シート１１０の素材は、プラスチック製を含む合成樹脂製、紙製等であって特に限定されないが、以下においては無色透明の合成樹脂シート（プラ板等）であって、かつ、手作業により曲げ加工が可能な厚みおよび材質を備えるものとして説明する。
【００１７】
ここで、図１（Ａ）に示すように、この模擬足型シート１１０は薄板状の状態で、足裏形状を模した足裏板１２０と、足裏板１２０の輪郭線１２２の左右両側（図２における輪郭線１２２のうちの略直線部分１２２Ｌ）から輪郭線１２２から離隔する方向へ延設された左側方板１３０および右側方板１４０と、を含む。なお、左右方向はフットカバーＦＣの着用者基準である。
【００１８】
左側方板１３０および右側方板１４０は、輪郭線１２２（より詳しくは図２における輪郭線１２２のうちの略直線部分１２２Ｌ）から立ち上げるように、かつ、踵側において互いに接合されるように折り曲げられて、足横模擬形状および踵模擬形状を形成することにより足を模した立体的な形状になる。そして、立体的な形状の模擬足型シート１１０にフットカバーＦＣが被せられた状態において、足裏板１２０に購買検討者への訴求情報が視覚により認識可能に形成されている。ここで、フットカバーＦＣは履き口である甲部分が大きく開いているために、図４に示すように、模擬足型シート１１０にフットカバーＦＣが被せられた状態において、足裏板１２０に設けられた訴求情報を購買検討者が視覚により容易に認識することができる。
【００１９】
そして、薄板状の模擬足型シート１１０は、少なくとも足裏板１２０の部分が有色透明または無色透明であるようにして、販促ツール１００は、購買検討者への訴求情報が視覚
により認識可能なようにシートに形成した訴求シート１５０をさらに含むようにして（ただし、この訴求シート１５０は任意構成）、この訴求シート１５０を、足裏板１２０と被せられるフットカバーＦＣとの間に設けるようにしても構わない。なお、訴求シート１５０の素材は、印刷に適したコーティング紙等であって、訴求シート１５０には購買検討者への訴求情報が色鮮やかに印刷されている。この場合において、少なくとも足裏板１２０の部分が有色透明または無色透明であるために、図４に示すように、足裏板１２０とフットカバーＦＣとの間に設けた訴求シート１５０が購買検討者の視覚により容易にかつ確実に認識できるようになっている。
【００２０】
ここで、このように、訴求シート１５０を模擬足型シート１１０と別体にすることは任意構成であって（販促ツール１００に訴求シート１５０が任意構成であることを意味する）、模擬足型シート１１０の足裏板１２０の表面（足裏板１２０は透明でも不透明でも構わず図１の紙面表側）または裏面（足裏板１２０は有色透明でも無色透明でも構わないが透明でなければならず図１の紙面裏側）に訴求情報を印刷することにより、訴求シート１５０を模擬足型シート１１０と別体とするのではなく一体とすることも可能である。以下においては、本実施の形態に係る販促ツール１００は、無色透明の合成樹脂シートからなる模擬足型シート１１０と、訴求情報が色鮮やかに印刷されたコーティング紙からなる訴求シート１５０とから構成されるものとして説明する。
【００２１】
以下において、この販促ツール１００についてさらに詳細に説明する。この詳細な説明にあたり、この販促ツール１００が好適に適用されるフットカバーＦＣについてまず説明する。以下においては、生地と編地とを区別しない場合がある。また、フットカバーの構造には様々なものがあり、本考案に係る販促ツールが好適に適用されるフットカバーは特定の構造に限定されるものではなく、どのようなフットカバーの構造であっても、フットカバーを形成する生地の種類、生地の型板およびその生地の接合方法がどのようなものであっても基本的には構わない。そのため、以下に示すフットカバーの構造自体は単なる例示でしかない。
【００２２】
また、このフットカバーを形成する生地（伸縮性編地）は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でフットカバーに好ましい。
【００２３】
さらに、本実施の形態におけるフットカバーＦＣは、爪先と踵を含む足底とを被覆するとともに足甲および足首を露出するフットカバーであって、足底部、側辺部、踵部および爪先を覆う爪先部で形成される。また、限定されるものではないが、以下に示すフットカバーは左右共用であって、左右共用であるために左右を履き間違いすることがない点で好ましい。なお、フットカバーが左右共用でない場合には、左足用と右足用とは左右対称の形状を備える。
【００２４】
なお、本実施の形態に係るフットカバーは１以上の生地（爪先部を形成する生地、足底部を形成する生地ならびに側辺部および踵部を形成する生地の３つの生地であっても、または、足底部を形成する生地および足底部以外を形成する生地の２つの生地であっても、これら以外であっても１以上の生地であれば構わない）により構成されているが、これらの生地どうしの接合については限定されるものではない。たとえば、縫合により生地どうしを接合するものであっても構わないし、帯状部材の一面に接着剤が塗布された接着テープを用いて加熱することにより接着剤が溶融して生地を熱接着して生地どうしを接合するものであっても構わない。ここで、この接合には、熱圧着によるもの、熱溶着によるもの、熱融着によるもの等を含む。
【００２５】
このように１枚以上の伸縮性編地が接合されて形成され、爪先と踵を含む足底とを被覆
するとともに足甲および足首を露出するフットカバーにおいては、そのフィット性を高めるために（さらに容易にずれたり脱げたりしないようにするために）爪先部が幅広に形成されており、これを単一の厚みを備えたに過ぎない型板であって足の側面形状を模した単なる型板に被せただけでは爪先部の伸縮性編地が弛んでしわになってしまい、美観を損ねてしまう。
【００２６】
続いて、このような単なる型板に被せただけでは爪先部の伸縮性編地が弛んでしわになってしまい美観を損ねてしまうフットカバーＦＣに好適な、模擬足型シート１１０と訴求シート１５０とから構成される、販促ツール１００について、図１〜図４を参照して詳しく説明する。なお、図２においては、図２（Ａ）、図２（Ｂ）、図２（Ｃ）、図２（Ｄ）、図２（Ｅ）の順で時間的に推移する。
【００２７】
図１（Ａ）および図２（Ａ）に示すように、この模擬足型シート１１０は、概略的には上述した構成を以下のように備える。この模擬足型シート１１０は、薄板状の状態で、足裏形状を模した足裏板１２０と、足裏板１２０の輪郭線１２２の左右両側（図２（Ａ）における輪郭線１２２のうちの略直線部分１２２Ｌ）から輪郭線１２２から離隔する方向へ延設された左側方板１３０および右側方板１４０と、を含む。そして、この模擬足型シート１１０は、左側方板１３０および右側方板１４０は、輪郭線１２２（より詳しくは図２（Ａ）における輪郭線１２２のうちの略直線部分１２２Ｌ）から立ち上げるように、かつ、踵側において互いに接合されるように折り曲げられて、足横模擬形状および踵模擬形状を形成することにより足を模した立体的な形状になる。
【００２８】
さらに詳しくは、左側方板１３０は、足裏板１２０の輪郭線１２２から緩やかに離隔して足横模擬形状を形成する左輪郭線１３２、この左輪郭線１３２から略直角に曲がった左踵縦輪郭線１３４、さらに略直角に曲がった左踵下輪郭線１３６、さらに足裏板１２０の輪郭線１２２へ戻っている。なお、後述する立体化作業により、左輪郭線１３２は図１（Ａ）の下側から上側へ進行するに従って、足横模擬形状から踵模擬形状を形成することになる。
【００２９】
右側方板１４０は、足裏板１２０の輪郭線１２２から緩やかに離隔して足横模擬形状を形成する右輪郭線１４２、この右輪郭線１４２から略直角に曲がった右踵縦輪郭線１４４、さらに略直角に曲がった右踵下輪郭線１４６、さらに足裏板１２０の輪郭線１２２へ戻っている。なお、後述する立体化作業により、右輪郭線１４２は図１（Ａ）の下側から上側へ進行するに従って、足横模擬形状から踵模擬形状を形成することになる。
【００３０】
左踵縦輪郭線１３４と右踵縦輪郭線１４４とを接合して踵模擬形状を形成するために左舌片１３８とその左舌片１３８に嵌合する楕円孔１４８が、それぞれ設けられている。また、図３の示すように陳列棒Ｂにこの販促ツール１００を吊り下げるための円孔１４９Ｈが右側方板１４０の右舌片１４９に設けられている。
さらに、足裏板１２０には、後述する立体化作業を容易にするために、折り癖を付けた溝１２４が設けられている。溝１２４の形状はこのようなＵ字形状に限定されるものではなく、後述する立体化作業を容易にするために、折り癖が付けられるものであれば形状は限定されるものではない。なお、後述する立体化作業において詳しくは説明するが、図２（Ａ）における一点鎖線部分が立ち上がるために足裏板１２０の一点鎖線部分の位置に訴求シート１５０が載置されることになる。
【００３１】
次に、図２を参照して、模擬足型シート１１０の立体化作業について詳しく説明する。図２（Ａ）の状態が図１（Ａ）の状態である。
図２（Ａ）に示す状態で、以下の手順で模擬足型シート１１０を立体化させる。
足裏板１２０の輪郭線１２２の略直線部分１２２Ｌが谷線になるように左側方板１３０および右側方板１４０をそれぞれ折り曲げて左側方板１３０および右側方板１４０を輪郭線１２２の略直線部分１２２Ｌから立ち上げる（黒塗り直線矢示）。
【００３２】
足裏板１２０の輪郭線１２２の踵側曲線部分１２２Ｃに、左側方板１３０の左踵下輪郭線１３６および右側方板１４０の右踵下輪郭線１４６が沿うまで（点線矢示）、左側方板１３０および右側方板１４０を立ち上げように折り曲げる（黒塗り曲線矢示）。このようにすると、左踵縦輪郭線１３４と右踵縦輪郭線１４４とを接近している。このため、これ
らの左踵縦輪郭線１３４と右踵縦輪郭線１４４とを接合するために、左舌片１３８を楕円孔１４８へ（入れ込んで）嵌合させて、左側方板１３０と右側方板１４０とを接合する。
【００３３】
この場合において、足裏板１２０の形状は人の足裏形状を模しており図２（Ａ）の点線楕円部分において、輪郭線１２２から左側方板１３０および右側方板１４０が延設されている。そして、この部分の輪郭線１２２が足の最大広幅部分に相当するために直線ではないこと、溝１２４の形状がＵ字形状であること等に起因して、図２（Ａ）の一点鎖線楕円部分において輪郭線１２２が紙面表側へ立ち上がり、足爪先模擬形状を形成する。
【００３４】
このような模擬足型シート１１０の立体化作業により、左側方板１３０および右側方板１４０は、足裏板１２０の輪郭線１２２（より詳しくは略直線部分１２２Ｌ）から立ち上げるように、かつ、踵側において互いに接合されるように折り曲げられて、足横模擬形状および踵模擬形状を形成することにより足を模した立体的な形状になる。
次に、図２（Ｂ）に示す状態で、円孔１４９Ｈを備えた右側方板１４０の右舌片１４９を図２の紙面裏側へ略直角に折り曲げる（黒塗り直線矢示）。これにより、図２（Ｃ）、図３および図４に示すように、陳列棒Ｂを円孔１４９Ｈに挿通させてこの販促ツール１００を吊り下げることができる。
【００３５】
次に、図２（Ｃ）に示す状態で、訴求シート１５０を（購買検討者への訴求情報が印刷された面を図２の紙面表側になるように）して、模擬足型シート１１０の足裏板１２０の紙面裏面側へ載置する。このとき、上述したようにわずかではあるものの足爪先模擬形状を形成されているために、図１（Ａ）の足裏板１２０において一点鎖線に示す位置に訴求シート１５０が載置される。
【００３６】
次に、図２（Ｄ）に示す状態で、フットカバーＦＣを紙面裏面側から立体形状を備える模擬足型シート１１０に被せる。これにより、図２（Ｅ）および図４に示すように、すなわち、立体的な形状に形成された模擬足型シート１１０にフットカバーＦＣが被せられた状態において、足裏板１２０に購買検討者への訴求情報が視覚により認識可能に形成されている。ここで、より詳しくは、透明な足裏板１２０を透過した訴求シート１５０に印刷された訴求情報が、視覚により認識可能に形成されている。
【００３７】
上述したように、本考案に係る販促ツール１００は、１枚以上の伸縮性編地が接合されて形成され、爪先と踵を含む足底とを被覆するとともに足甲および足首を露出するフットカバーＦＣに好適に使用される。この販促ツール１００は、上述した訴求シート１５０を任意構成とするものの、立体的な形状に形成された模擬足型シート１１０にフットカバーＦＣが被せられた状態において、足裏板１２０に購買検討者への訴求情報が視覚により認識可能に形成されている。そして、この模擬足型シート１１０は、薄板状の状態で、足裏形状を模した足裏板１２０と、足裏板１２０の輪郭線１２２の左右両側（図２（Ａ）における輪郭線１２２のうちの略直線部分１２２Ｌ）から輪郭線１２２から離隔する方向へ延設された左側方板１３０および右側方板１４０と、を含む。そして、この模擬足型シート１１０は、左側方板１３０および右側方板１４０は、輪郭線１２２（より詳しくは図２（Ａ）における輪郭線１２２のうちの略直線部分１２２Ｌ）から立ち上げるように、かつ、踵側において互いに接合されるように折り曲げられて、足横模擬形状および踵模擬形状を形成することにより足を模した立体的な形状になる。このように立体的な形状を備えるために、フットカバーＦＣの着用イメージを容易に認識することができる。
【００３８】
すなわち、素足で靴を履いているように見せるために靴の内側に隠れるようにデザインされたフットカバー、足裏の汗を吸湿して肌触りの良いフットカバー、足裏が滑ることを防止するフットカバー、または、足裏にクッション材を設けて足が疲れることを防止するフットカバー等々の足底部に特徴があるフットカバーを立体的な形状を備えた模擬足型シート１１０に被せることにより、需要者がフットカバーＦＣの着用イメージを容易に認識することができるとともに、フットカバーＦＣが被せられた状態において足裏板１２０に視覚により認識可能に形成された購買検討者への訴求情報を容易に認識することができるために、需要者の製品情報を深く理解することができることに起因する販売促進を実現することができる。
【００３９】
以上のようにして、本実施の形態に係る販売促進用ツールによると、１枚以上の伸縮性
編地が接合されて形成されたフットカバーについて需要者が着用イメージを容易に認識することができるとともに訴求ポイントを容易に認識することができ、容易に認識できる着用イメージに基づいて需要者が適切にフットカバーを選んで、かつ、容易に認識できる訴求情報に基づいて需要者が適切にフットカバーを選んで、購入することができる。
【００４０】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００４１】
本考案は、１枚以上の伸縮性編地が接合されて形成され、爪先と踵を含む足底とを被覆するとともに足甲および足首を露出するフットカバーの販売促進用ツールに好ましく、需要者が着用イメージを容易に認識することができるとともに訴求ポイントを容易に認識することができる点で特に好ましい。
【符号の説明】
【００４２】
１００  販売促進用ツール（販促ツール）
１１０  模擬足型シート
１２０  足裏板
１２２  輪郭線
１２２Ｃ  踵側曲線部分
１２２Ｌ  略直線部分
１２４  溝
１３０  左側方板
１３２  左輪郭線
１３４  左踵縦輪郭線
１３６  左踵下輪郭線
１３８  左舌片
１４０  右側方板
１４２  右輪郭線
１４４  右踵縦輪郭線
１４６  右踵下輪郭線
１４８  楕円孔
１４９  右舌片
１４９Ｈ  円孔
１５０  訴求シート
【図１】
0003224369.tif 000003
【図２】
0003224369.tif 000004
【図３】
0003224369.tif 000005
【図４】
0003224369.tif 000006